(57)【特許請求の範囲】
【請求項１】
地中に地下収納庫などの埋設物を埋設するにあたって、地面に穴を掘削する方法であって、
地面に、埋設物を取り囲む矩形状で土砂が崩壊しないように埋設物の約半分程度の深さの溝を掘削し、この溝内に土留枠を配置した後、この土留枠の外側の溝部分に土砂を埋め戻すとともに、土留枠の内側の溝部分の一部にも土砂を埋め戻してショベルカーの乗り入れ部を形成し、この乗り入れ部から土留枠の内側にショベルカーを乗り入れて土留枠の内側の地面を所定深さまで掘削することを特徴とする掘削方法。
【発明の詳細な説明】
【０００１】
【発明の属する技術分野】
本発明は、地下収納庫などの埋設物を埋設する穴を掘削する方法に関するものである。
【０００２】
【従来の技術】
一般に、地面に掘削した穴に埋設するようになされたユニット状の地下収納庫が知られている。
【０００３】
従来より、この種の地下収納庫を埋設するための穴を掘削する場合、地下収納庫よりも相当大きな範囲で穴を掘削し、穴周縁の土砂が崩壊したりしないように、穴底に向かって縮径する傾斜面を有するすり鉢状の穴としていた。
【０００４】
【発明が解決しようとする課題】
しかし、上記従来の穴の掘削方法の場合、地下収納庫よりも相当大きな範囲で穴を掘削しなければならないので、既設の家に隣接した庭やカーポートの地下などの限られた範囲の土地の場合、穴の掘削に必要な面積を確保することができないといった不都合を生じることとなる。
【０００５】
また、掘削範囲が大きくなるので、それだけ掘削作業が手間取り、作業が煩わしくなるといった不都合を生じていた。
【０００６】
さらに、穴底に向かって縮径する傾斜面を有するすり鉢状の穴としても、穴周縁の土砂が崩壊しないといった保証は無く、土質によっては安全性に欠けるといった不都合を生じることとなる。そのため、穴の掘削後に穴の内側に枠体を設けて枠体の外側の土を埋め戻し、この枠体を土留として安全性を確保することが行われているが、作業が煩わしくなるといった不都合を生じることとなる。
【０００７】
本発明は、係る実情に鑑みてなされたものであって、狭い土地であっても簡単かつ安全に地下収納庫を埋設することのできる掘削方法を提供することを目的としている。
【０００８】
【課題を解決するための手段】
上記課題を解決するための本発明の掘削方法は、地中に地下収納庫などの埋設物を埋設するにあたって、地面に穴を掘削する方法であって、地面に、埋設物を取り囲む矩形状で土砂が崩壊しないように埋設物の約半分程度の深さの溝を掘削し、この溝内に土留枠を配置した後、この土留枠の外側の溝部分に土砂を埋め戻すとともに、土留枠の内側の溝部分の一部にも土砂を埋め戻してショベルカーの乗り入れ部を形成し、この乗り入れ部から土留枠の内側にショベルカーを乗り入れて土留枠の内側の地面を所定深さまで掘削するものである。
【０００９】
【発明の実施の形態】
以下、本発明の実施の形態を図面を参照して説明する。
【００１０】
図１ないし図３は、掘削方法の工程の概略を示している。
【００１１】
すなわち、この掘削方法は、地中に埋設物１を埋設する穴を掘削する方法であって、矩形の溝２に土留枠３を配置し、この土留枠３の内側を掘削するものである。
【００１２】
埋設物１を、例えば、高さ２ｍ、横幅１．５ｍ、長さ３ｍに形成された地下収納庫とすると、土留枠３は、高さ１ｍ、横幅２．５ｍ、長さ４ｍに形成されたものが使用される。この土留枠３は、鋼材を横幅２．５ｍ、長さ４ｍに枠組みして２本の枠体３１を形成し、この枠体３１の外周に高さ１ｍの矢板３２を貼設して形成したものを使用することができる。なお、土留枠３は、枠体３１と矢板３２とを組立式として溝２内で組立てるようになされたものであってもよい。
【００１３】
次に、この掘削方法の施工手順に沿って説明する。
【００１４】
まず、図１（ａ）に示すように、上記土留枠３が配置できるように、約５０ｃｍの溝幅で横幅２．５ｍ、長さ４ｍの矩形状の溝２を掘削する。この際、掘削深さとしては、上記土留枠３が配置できるように約１ｍ強の深さに掘削する。この溝２は、あまり深くなると溝２自身の土砂が崩壊する心配も出てくるので、埋設物１の半分程度の深さとし、土留枠３の高さもこれに合わせておく（本実施の形態の場合１ｍ）。この溝２は、ショベルカー４によって掘削することができる。
【００１５】
ついで、図１（ｂ）に示すように、この溝２内に上記土留枠３を配置する。この際、土留枠３は、レッカー車（図示省略）などによって溝２内に吊り込むことができる。なお、この土留枠３を構成する枠体３１と矢板３２とが組立式に構成されたものの場合には、レッカー車（図示省略）を用いることなく、ショベルカー４を利用して枠体３１と矢板３２とを別個に吊り込むことができる。
【００１６】
そして、土留枠３の配置後は、図１（ｃ）に示すように、土留枠３の外側の溝２部分には土砂５を埋め戻す。また、土留枠３の内側の溝２の部分にも一部土砂５を埋め戻し、ショベルカー４の乗り入れ部５０を形成する。
【００１７】
次に、図２（ａ）に示すように、乗り入れ部５０から、この土留枠３の内側にショベルカー４を乗り入れ、土留枠３の内側に穴２０を掘削する。この際、土留枠３を、土砂の崩壊しやすい地面周縁の部分の土留めとして利用できるので、掘削深さとしては、土留枠３の高さよりも更に深く、本実施形態の場合、約２．４ｍの深さに掘削することができる。
【００１８】
ついで、図２（ｂ）に示すように、乗り入れ部５０からショベルカー４を後退させながら土留枠３の内側全体を掘削して約２．４ｍの深さの穴２０を形成する。ただし、土留枠３よりもさらに深くなる部分については、土留枠３が無い分だけ地盤が不安定となるので、土留枠３の大きさよりもひとまわり小さくなるように掘削する。また、掘削時には、底面の床付けを行いながら掘削する。さらに、掘削後、穴２０の底面には、空練りモルタル６を打設する。
【００１９】
そして、図２（ｃ）に示すように、土留枠３内に埋設物１をレッカー車（図示省略）で吊り込み配置する。この際、土留枠３は、図４に示すように、枠体３１に設けた目印３３などを利用して埋設物１の水平状態や位置決めをする遣方として利用することができる。
【００２０】
次に、図３（ａ）に示すように、土留枠３を地面から引き抜く。この際、土留枠３は、枠体３１と矢板３２とを別々にばらして引き抜いてもよい。
【００２１】
ついで、図３（ｂ）に示すように、埋設物１の底部分に根がらみとなるコンクリート７を打設する。
【００２２】
そして、最後に、埋設物１の周囲の残りの部分に土砂５を埋め戻して転圧、整地する。ただし、この周囲の残りの部分についてもコンクリート７を打設して仕上げてもよい。
【００２３】
この掘削方法によると、土留枠３によって掘削深さの約半分の土留めを行っているので、従来のように掘削深さ全体にわたって土留めを行う程の煩わしさをともなうことなく、必要な安全性を確保することができる。
【００２４】
また、この土留枠３は、掘削深さの約半分の土留めを行う簡易なものであるため、最初から埋設物１が埋設できる大掛かりな穴を掘削する必要が無く、この土留枠３を配置できる簡単な矩形の溝２を掘削できるだけの土地面積を確保できればよい。したがって、既設の建物に隣接した庭やカーポートの地下部分などであっても容易に作業をすることができることとなる。
【００２５】
なお、本実施の形態では、埋設物１を高さ２ｍ、横幅１．５ｍ、長さ３ｍに形成された地下収納庫としているが、特にこの埋設物１の大きさとしては限定されるものではない。ただし、この埋設物１の大きさに合わせて土留枠３の大きさを、高さ１ｍ、横幅２．５ｍ、長さ４ｍに形成しており、このうち高さについては、埋設物１の半分程度の高さとしている。すなわち、この土留枠３の高さがあまり高くなりすぎると、その分、溝２を掘削する時に深い溝２を掘削しなければならない。この溝２の深さが深くなると、溝２の周縁土砂が崩壊することも懸念され、簡単に溝２を掘削することができなくなる。したがって、簡単に溝２を掘削することができる程度の土留枠３の高さとなる範囲であれば、埋設物１の大きさは限定されるものではない。この簡単に溝２を掘削することができる程度とは、掘削する地面の土質などによって異なるので一概に述べることは出来ない。
【００２６】
また、本実施の形態では、埋設物１を取り囲むように平面視矩形の溝２を掘削し、これに合致する平面視矩形状の土留枠３を使用しているが、これら溝２および土留枠３の形状としては、埋設物１の形状に合わせて楕円形、円形、多角形などの平面視形状となされたものであってもよい。
【００２７】
【発明の効果】
以上述べたように、本発明によると、最初から埋設物を配置するための大掛かりな穴を掘削するのではなく、埋設物を取り囲む形状に掘削した溝内に土留枠を配置し、この土留枠の内側の地面を掘削するので、地面に上記溝を掘削できるだけの土地面積を確保できればよいこととなる。したがって、既設の建物に隣接した庭やカーポートの地下部分などの狭い土地であっても容易に作業をすることができることとなる。
【００２８】
また、この溝内に土留枠を配置し、この土留枠を土留めとして利用することで土砂の崩壊などを防止して安全性を確保することができる。
【００２９】
さらに、この土留枠は、埋設物を埋設する時の遣方としても利用することができるので、埋設物の位置決めや水平状態を簡単に行うことができる。
【００３０】
さらに、土留枠は、土砂の崩壊し易い地面周縁の一定深さの部分の土留めとして作用するため、掘削の際には、土留枠の高さよりもさらに深く掘削して深さのある穴を形成することができ、使用する土留枠の大きさの割りには大きな埋設物を埋設することが可能となる。
【図面の簡単な説明】
【図１】（ａ）ないし（ｃ）は、掘削方法の施工開始から土留枠の設置までの工程を示す工程図である。
【図２】（ａ）ないし（ｃ）は、掘削方法の土留枠の設置後から埋設物の設置までの工程を示す工程図である。
【図３】（ａ）ないし（ｃ）は、掘削方法の埋設物の設置後から施工完了までの工程を示す工程図である。
【図４】埋設物を土留枠の内側に配置した状態を示す斜視図である。
【符号の説明】
１  埋設物
２  溝
２０  穴
３  土留枠
【図１】
0003548310.tif 000002
【図２】
0003548310.tif 000003
【図３】
0003548310.tif 000004
【図４】
0003548310.tif 000005